Podtech/llm-jp-corpus-v4-ja_patent huggingface dataset:
(57)【要約】【目的】にんにくの刺激や臭いを無くし、手軽に食べやすい半ドライにんにくの製造方法に関するものであります。【構成】飽和水前後に水分調整を施した生のにんにくを、むき身の状態で、２５〜５０ミクロンのフィルムで個包装する事と、その状態で加温する。加温はケーシングに入れて、またはそのまま加温出来る装置に入れる。６０℃以下の場合は３０日以上。６０℃以上の場合は３０日以内で半ドライにんにくが製造出来る。但し含水量とフィルムの厚みと温度を調節する事によって、出来上がり半ドライ化状態を任意に調節もできる。【特許請求の範囲】
【請求項１】
完全乾燥を防止するために、水分を含ませた生のむき身にんにくを個包装し、加温を維持させること。
【請求項２】
個包装フィルムの厚みや、水分量及び温度状態を調節する事により、半ドライにんにくの堅さなどが任意で調整できる。
【発明の詳細な説明】
【技術分野】
【０００１】  本発明は、強壮に優れるにんにくを、臭いを気にせずに、いつでもどこでも手軽に食べやすい、半ドライにんにくとして加工製造する方法に関するものであります。
【背景技術】
【０００２】  にんにくは古来より、滋養強壮に高い効果があることは良く知られております。しかし、摂取した場合に独特の刺激を有することや、不快な口臭が残ってしまうことから敬遠されることが多かったと思われます。【０００３】  イオウ化合物の効果については、多くの文献にて紹介されている様によく知られるところであります。食するための工夫も様々でありますが、安価でおいしくおやつ代わりで食せるにんにく加工食品を目指すものであります。【０００４】  身体に有用なにんにくの有効成分を、簡単に摂取しやすく工夫した、今までにない発想の食品であります。【０００５】  にんにくはもともと放って置くと発酵し、褐色化し始める特性を有しております。つまり黒く変色化する事はアリル化合物野菜、にんにくや玉ねぎなどの自然現象であり、発酵や腐敗に伴い変化するものです。
【発明が解決しようとする課題】
【０００６】  にんにくの食べ方は様々ありますが、どれも手軽ではありません。更には刺激や食後の臭いも気になる所です。昨今流行の熟成にんにくは、手が汚れる等の食べづらさに問題が有りました。更に製法で時間やコストが掛り高価なものになっています。その理由に温度と湿度のバランスが難しくて損失も出る為であります。更に衛生的保存性はよくありません。そこで個包装する事により加工時には完全な乾燥を防止し、できあがり後も衛生的かつ保存性にも優れ、手を汚す事も無く簡単に食べる事が出来るようになりました。
【課題を解決するための手段】
【０００７】  当加工法は、飽和水前後にした生のむき身にんにくを個包装する。その状態でケーシングの中に入れて加温する。個包装内膨張による加圧状態で、２０〜３０日前後で味もまろやかになり臭気は治まります。そして食べやすい半ドライにんにくに仕上がります。
【０００８】  ２５〜５０ミクロンのフィルムで個包装する事と、その状態で安定的な管理温度で６０℃以下の場合は３０日以上。６０℃以上の場合は３０日以内で半ドライにんにくに仕上がります。但し包装フィルムの厚み、含水量、温度調節によって半ドライ化の日数が異なります。
【０００９】  当工法は発酵や熟成ではなく、ドライフルーツに近い野菜の乾燥でありますが、完全乾燥ではなく無添加低温加圧法での半ドライにんにくの加工をするものであります。
【発明の効果】
【００１０】  これらの工夫により、今までにないいつでもどこでも手軽に食べられる半ドライにんにくが提供出来ます。
【００１１】  収穫時期や産地を問わず、そのものなりの半ドライにんにくとなります。個包装されている事で衛生的で且つ保存性もあります。
【００１２】  生産装置についても大型化が可能、また撹拌を付加する事で自動ラインも容易に出来るものであります。
【発明を実施するための形態】
【００１３】  業務用、縦型包装機及び横型包装機で包装される状態を再現。ロール状包装フィルムを袋状にして、出来上がり寸法が縦横６センチ角、７センチ角、８センチ角の中に各１００個づつ入れて、温度調節の出来る装置に入れて１４日目から１日置きで確認しました。下表１は一番最近の実験の表であります。
【表１】
2012217446.tif 000002
(57)【要約】      （修正有）【課題】地震、津波、火災など緊急時に対応できるペット用リードを提供する。【解決手段】首輪１に必要最小限の長さの緊急用リード２の一端を固定、他端を首輪円周に巻き、マジックテープ５等、仮止め部品を設ける。【選択図】図１
2012217450.tif 000002
【特許請求の範囲】
【請求項１】
ペット用首輪に緊急用リードの一端を固定、首輪の円周に沿って巻き、マジックテープ等で仮止めすることを特徴とする緊急避難用のペット用リード。
【発明の詳細な説明】
【技術分野】
【０００１】  本発明は、緊急避難用のペット用リードに関する。
【背景技術】
【０００２】  従来、ペット用首輪とリードは別物であり、室内飼いのペットにおいては、室内に放し飼いするとき、首輪からリードをはずしていた。
【発明の概要】
【発明が解決しようとする課題】
【０００３】  これには次のような欠点があつた。
ペットを連れて外出する場合、首輪にリードをつけようとすると、ペットは喜び暴れてリードがなかなかつけられないことが多い。【０００４】  まして、地震、津波、火災など緊急時においては、飼い主も慌て、リードを探すのに時間をとられ、更にリードをつけようとするとペットが暴れてなかなかつけられず、止むなくペットを置き去りにするか、或いは屋外に放すなどして避難せざるを得なかった。【０００５】  小型犬などの場合は抱いて逃げることも可能だが、中型、大型犬となると首輪をつかんで逃げることは、ペットも怯えているので危険である。短かくともリードがついていれば落着くものである。又、首輪にリードをつけるという単純な動作であっても、１０秒、２０秒の避難のおくれが生死を分ける例はいくつもあるのである。【０００６】  本発明は、以上の、従来構成が有していた問題を解決しようとするものであり、一瞬にしてペットのリードを把んで緊急避難ができることを目的とするものである。
【課題を解決するための手段】
【０００７】  そのため、本発明はペット用首輪に緊急用リードの一端を固定し、首輪に緊急用リードを巻つけたとき、緊急用リードの把手部と接するリード面、及び把手部下面並びに把手部の２つの内面の適正な位置にマジックテープ等仮止め用部品を設けたものである。
【発明の効果】
【０００８】  上述したように本発明にかヽるペット用の緊急用リードは、常時緊急用リードの一端を、首輪に固定、或いは篏着されており、且首輪に巻かれ、マジックテープ等で仮止めされているので、地震、津波、火災など緊急時でも、リードを探す手間が省け、首輪にリードをつける苦労も要らず把手をつかみ即時避難できる緊急用のペットリードとして提供できるものである。
【図面の簡単な説明】
【０００９】
【図１】本発明の実施形態を示す斜視図
【発明を実施するための形態】
【００１０】  以下、本発明の実施の形態を図１に基づいて説明する。
【００１１】  ペットの首輪１に緊急用リード２の一端を固定部３で固定し、首輪１円周に沿って巻きつける。その際、把手部４の相対する２つの内面及び把手部４下面、把手部４下面とほヾ相対する緊急リード２上面に予じめマジックテープ５等仮止め用部品を設けておく。
【００１２】  このように形成した上で、首輪１に緊急用リード２を巻きつけ、把手部４ごと緊急リード２に押しつけると緊急リード２は首輪１に密着仮止めされる。
本発明は以上のような構造である。
【００１３】  緊急時には把手部４を首輪１から剥がし持ち、即緊急避難できる構造となっている。
又、図中６は標準リード用のリングで、緊急避難後、落着いたあと、或いは平常時散歩に連れ出すときに標準リードを篏着するための予備リングであり、標準リードを篏着したあと、このリングに把手部４を通し、マジックテープ５等仮止め用部品で仮止めする。
【符号の説明】
【００１４】１  首輪
２  緊急用リード
３．固定部
４  把手部
５  マジックテープ
６、標準リード篏着用リング
【図１】
2012217450.tif 000003
(57)【要約】【課題】生き餌を捕食動物に死んだ餌や配合飼料を与えるときに提供する。【解決手段】グリップの軸（糸・その他ひもの固定器具付き）（１）上部・先端部に、竿状の棒（糸・その他のひもを通す器具付き）（２）を固定する。（１）の固定器具に糸（その他のひも）を固定して、（２）の先端部の器具に糸（その他のひも）を通す。または、先端部だけに、固定する。餌付け用竿（ロッド）の取り付け糸・その他のひもの先に餌を付けて、餌を容易に生き物のように動かすことが出来るのを特徴とする。【選択図】図１
2012217449.tif 000002
【特許請求の範囲】
【請求項１】
グリップ状の物（１）の先端に竿状の棒を設け（２）グリップ状の先に糸、その他のひもを固定する器具を設け、竿状の先端には通すまたは、固定する器具を設ける。（３）その器具に糸・その他のひもを取り付け一箇所から二箇所の支点で支えるつり竿状の物。あくまでも、餌・フードを与えるまたは、食べさせるための竿状の道具・器具です。
【発明の詳細な説明】
【技術分野】
【０００１】この発明は、生き物を捕食する動物に栄養バランスの整った配合飼料（人工フード）に動き（アクション）をつけて生き物のように見せて与える専用の道具（ロッド・竿）です。
【背景技術】
【０００２】従来は、ピンセット・箸などで与えていたので、動きが付けづらく与え難かった。
【先行技術文献】
【特許文献】
【・・・・】
【特許文献１】
【特許文献２】
【非特許文献】
【・・・・】
【非特許文献１】
【非特許文献２】
【発明の概要】
【発明が解決しようとする課題】
【０００３】従来は、生きた昆虫などを与えていたが、栄養の偏りや昆虫に口内や舌などを噛まれ感染症や拒食症を起こし死亡することが多々ありました。本発明は、生きた昆虫を与えることなく、栄養バランスのとれた人工餌を容易に与えることが出来、動物飼育を容易にするとともに、生き餌の飼育や管理をしなくてもよく餌・餌付けの欠点を克服するものです。
【課題を解決するための手段】
【０００４】釣竿を改良したもので、棒状のグリップ（１）の先にしなやかで、弾力のある棒状で竿状の棒を固定する。（２）（１）の上部と（２）の先端部に糸・その他のひもを固定・通す器具を付ける。（３）糸・その他のひもを付け１箇所から２箇所の支点で支えた竿（ロッド）（４）糸・その他（本発明は、以上の構成よりなる餌付けもしくは、餌を食べさせる専用の竿（ロッド）です。
【発明の効果】
【０００５】生きた物を与えなくともよくなった、個々の生体に合った栄養バランスの餌を与えられる、竿（ロッド）の大きさを変えれば、小型〜大型そして、獰猛・毒を持つ危険動物にも容易に安全に与えることが可能となる。
【図面の簡単な説明】
【０００６】
【図１】斜視図
【図２】断面図
【発明を実施するための形態】
【０００７】以下、本発明を実践するための形態を説明いたします。
グリップの軸（糸・その他ひもの固定器具付き）（１）上部・先端部に、竿状の棒（糸・その他のひもを通す器具付き）（２）を固定する。（１）の固定器具に糸（その他のひも）を固定して、（２）の先端部の器具に糸（その他のひも）を通す。または、先端部だけに固定する。糸・その他のひもを１箇所から２箇所の支点で支え糸・その他のひもの上下運動を容易にしやすく可能にした。以上のような構造です。
これを使用するときは、糸（その他のひも）の先に餌（フード）を取り付けて、生き物のように動き（アクション）をつけて、動物に餌（フード）を与える。
【実施例】
【０００８】小型から大型のカエルが飛びつくように捕食した、生き餌しか捕食しないと言われていたカメレオンが舌を伸ばし捕食した、生き餌をまったく食べなかったトカゲがいろんな動きを試すうちにある動きに反応して、捕食した。
【産業上の利用可能性】
【０００９】餌が容易に与えられるので、動物を飼育する人口が増える、動物用フードもいろんな動物に合わせたフードが開発される。
【符号の説明】
【００１０】１．手で、持つところ。グリップ。素材（木・竹・プラスチック・アクリル・金属・その他）
２、しなやか、弾力性がある、竿状の物。素材（木・竹・プラスチック・アクリル・金属・その他）
３  糸・ひも・ロープ・ワイヤー。素材（綿・絹・麻・化学繊維・合成繊維・金属・その他）
【図１】
2012217449.tif 000003
【図２】
2012217449.tif 000004
(57)【要約】【課題】  従来の近点計による測定は手間がかかり、また、視標が不鮮明になるボケの発生点の確認は被験者の主観に左右される問題があった。これは、判別し難い視標やボケの程度を比較できる基準がないためである。さらに、測定結果の表示が専門的で分かり難い。【解決手段】  鏡を用いて測定距離を二分の一にした近点計を使用して、ボケの判別が容易な同じ二つの視標を３センチの間隔をあけて直線上に重ねて設置し、披検眼に近い測定視標のボケの発生時点を披検眼に遠い比較視標と比較して確認することができる。また、測定結果を年齢で表示することで老眼の進行の確認だけでなく、目の疲れなどの変化を知ることで健康管理用としても使用することができる。【選択図】図１
2012217817.tif 000002
【特許請求の範囲】
【請求項１】
近点計の測定に鏡を使用して測定距離を２分の一に短縮するとともに、ボケの判別が容易な同じ形状の測定用と比較用の二つの視標を直線上に間隔をあけて設置することにより、被験者が不鮮明になる視標のボケの発生点を容易に確認することができ、また、その測定結果を年齢で表示する近点年齢計。
【発明の詳細な説明】
【技術分野】
【０００１】  本発明は近点計による目の調節力の変化を用いた年齢計に関する。
【背景技術】
【０００２】  従来の近点視力の検査には、近点視力表の指標を３０ｃｍの距離から検査するものから、自覚的調節検査や他覚調節検査などの検査装置がある。（例えば、非特許文献１参照）【０００３】  また、測定板の中央にスライドする視標を立て、その測定板を鼻に当てて視標をスライドさせて距離を測定できる近点計もある。（例えば、特許文献１参照）
【非特許文献１】  「眼科検査ガイド」，（株）文光堂，２００４年，ｐ．２１２〜２１９
【特許文献１】  登録番号  ３００４８７９
【発明の開示】
【発明が解決しようとする課題】
【０００４】  以上述べた従来の近点計では、近点視力表を用いる場合でも３０ｃｍの距離を測るためにメジャーなどで測定する必要があり、手間がかかるものである。また、自覚的・他覚的調節検査の場合には装置そのものが高価であること、さらに正確な検査結果を得るためには適切な操作が求められている。【０００５】  また、いずれの近点計でも視標が不鮮明になる時点のボケの程度については被験者の主観に左右される。さらに検査を繰り返す場合には、被験者自身もボケの程度の比較は記憶によるため、検査をくり返す毎に確認することが難しく再現性と客観性に乏しい。【０００６】  また、近点計の測定結果はｃｍやジオプターで表示され、被験者自身には分かり難い。【０００７】  本発明は、このような従来の構成が有していた問題を解決しようとするものであり、近点計の測定を容易にし、視標のボケの発生点を客観的に確認できるようにするとともに、測定結果を年齢で表示することを目的とするものである。
【課題を解決するための手段】
【０００８】  そして、本発明は上記目的を達成するために近点計にミラーを用いて視標との測定距離を半分にする。【０００９】  また、第２の手段は測定用と比較用の二つの同じ視標を用いて、被験者が測定中に視標のボケの程度を比較してボケの発生時点を確認できるようにする。【００１０】  また、第３の手段は測定結果を年齢で表示する。【００１１】  上記第１の課題解決手段による作用は次の通りである。年齢とともに明視できる距離は遠くなるため、直線上での目と視標の測定距離は６０歳では約６０ｃｍの長さのスケールが必要になるが、鏡を用いることにより近点計も半分の長さになる。これにより、手軽な携帯タイプの近点計にすることができる。【００１２】  また、第２の課題解決手段による作用は、ボケの判別が容易な同じ視標二つをスケールの上に直線上に重ねて設置する。下側の視標は測定用でその上側に比較用の視標を重ねるが、上側の比較用視標は下側の測定用視標よりも数ｃｍ後方すなわち被験眼から遠方に設置する。これにより、近くが先に見難くなる測定用視標のボケの発生点を、遠方の比較用視標とで比較しながら確認することができる。さらに、ボケの程度を繰り返し確認できるため再現性があり、また客観性がある。【００１３】  また、第３の課題解決手段による作用は、スケールの目盛りに年齢を表示することにより、老眼の進行だけでなく日常の眼の疲れなどの変化を知ることができる。
【発明の効果】
【００１４】  上述したように本発明の年齢計は、測定時の被験者のボケ発生点を容易に確認できるため客観性があり、眼科医院向けだけでなく家庭用としても利用されるものである。また、鏡を利用することで小型になり、個人用の年齢計として目の健康管理用にも使用できる。
【発明を実施するための最良の形態】
【００１５】  以下、本発明の実施の形態を図１〜図３に基づいて説明する。【００１６】  図においては、１は板状の本体で、その上に測定用視標３と比較用視標４が固定されている。また、本体１の上をスライドするスライダー５に鏡２を取り付け、スライダー５には微調整ができる調節ネジ６を組み込んでいる。また、鏡２は上下左右に角度調整できる取り付け構造になっている。本体１の上面には目盛り７がついている。【００１７】  測定用視標３は本体１の披検眼側の端に固定され、その上に比較用視標４が重ねて固定されている。測定用視標３と比較用視標４は、図１のように本体１の幅中央の直線上に３センチの間隔をあけて設置される。測定用視標３と比較用指視標４の設置間隔は２〜４センチが有効である。視標は測定用視標３と比較用視標４とも同じ視標を使用する。【００１８】  以下、上記構成の使用方法を説明する。被験者は図２のように本体１を手で持って眼の下の頬骨に当てる。次に別の手で鏡２が乗っているスライダー５を移動させ、測定用視標３のボケが発生する時点を比較用視標４と比較して確認する。微調整が必要な場合には調節ネジ６を使用する。ボケの発生した時点が確認できたら、スライダー５にある測定ポイント（図示せず）で目盛り７の年齢値を読み取ることができる。【００１９】  測定用視標３と比較用視標４は、ボケの判別が容易な同じ形状の視標として図３のような形状の視標が有効であり、白抜きの円は直径３ミリで近距離視力表の０．１５大となる。
【図面の簡単な説明】
【００２０】
【図１】  本発明の実施形態を示す年齢計の外観の斜視説明図
【図２】  同使用状態の説明図
【図３】  同使用する視標例の拡大図
【符号の説明】
【００２１】１  本体
２  鏡
３  測定用視標
４  比較用視標
５  スライダー
６  調節ネジ
７  目盛り
【図１】
2012217817.tif 000003
【図２】
2012217817.tif 000004
【図３】
2012217817.tif 000005
(57)【要約】      （修正有）【課題】幅数ミリ単位の溝に入り、数センチ単位の閉所での取り回しが出来るように、細いホースを吸い込み口とした、掃除機用溝、隙間ノズルを提供する。【解決手段】ノズル（１）を細いホースを繋ぐ事が出来る形に加工し、細いホース（２）を、数十センチ外側へ残るように繋いだ掃除機用溝、隙間ノズルとすることで、先端が外径数ミリで軟体材質のホースであるから、数ミリの隙間にも入っていき、数センチ単位の手先での取り回しができる。【選択図】図１
2012217830.tif 000002
【特許請求の範囲】
【請求項１】
ノズルを細いホースを繋ぐ事が出来る形に加工し、加工したノズルに、細いホースを数十センチ外側へ残るように設けた掃除機用溝、隙間ノズル。
【発明の詳細な説明】
【技術分野】
【０００１】  この発明は、細いホースを繋ぐ事が出来る形に加工したノズルに、細いホースを繋げた掃除機用溝、隙間ノズルに関するものである。
【背景技術】
【０００２】  従来、隙間ノズルはあまり細くなく、ノズル単体の物であった。
【先行技術文献】
【０００３】
【発明の概要】
【発明が解決しようとする課題】
【０００４】  これは、次のような欠点があった。
従来、隙間ノズルは窓サッシの溝や、引き戸のレール等、数ミリの隙間には届かない物であった。
また、材質がプラスチック等の硬質な材質のため、数センチ単位の狭い箇所での取り回しが出来ないものであった。
【課題を解決するための手段】
【０００５】  ノズルを細いホースを繋ぐ事が出来る形に加工し（１）細いホース（２）を、数十センチ外側に残るように繋ぐ。
本発明は、以上の構成よりなる掃除機用溝、隙間ノズルである。
【発明の効果】
【０００６】  先端が外経数ミリのホースのため、数ミリの隙間にも入っていき、届く様になった。
材質が、ホースと言う軟体材質のため、数センチ単位の手先での取り回しが、出来るようになった。
【図面の簡単な説明】
【０００７】
【図１】  本発明の斜視図である。
【発明を実施するための形態】
【０００８】  以下、本発明を実施するための形態について説明する。
ノズルを、掃除機のホースの太さから、細いホース（２）の外経まで円錐状に加工し（１）細いホースを（２）加工したノズルの先端に、数十センチ外側に残るように差込み取り付ける。
本発明は、以上の様な構造である。
【符号の説明】
【０００９】  １細いホースを繋ぐ事が出来る形に加工したノズル
２細いホース
【図１】
2012217830.tif 000003
(57)【要約】      （修正有）【課題】従来の痔患者用座布団は、着座部と着座部よりも窪んだ窪み部をつくることにより、着座時の肛門の接触による痛みを避ける目的で作られている。しかし、痔は疼痛と、いわゆる肛門が抜け落ちるという独特の不安感と焦燥感を伴う。また、肛門部を冷やすと痔の症状を悪化させることになる。これらの問題を解決する凸型の座布団を提供する。【解決手段】この座布団は着座部１と着座部よりも高く盛り上がった盛り上がり部２から成る。使用者が肛門部を盛り上がり部２に合わせて着座すると、着座部分が臀部を支持し、盛り上がり部２が肛門部全体を上部に押上げて肛門部の安定を図るものである。これで痔特有のいわゆる肛門が抜け落ちるという不安感を解消できる。また、この盛り上がり部２が体温によって温められる保温効果で血行が良くなり痔の疼痛を緩和することができる。【選択図】図２
2012217824.tif 000002
【特許請求の範囲】
【請求項１】
着座部と着座部よりも高く盛り上がった盛り上がり部を備え、使用者が盛り上がり部に肛門部を合わせて着座すると、盛り上がり部が肛門部を上部に押上げる程度の高さに形成されていることを特徴とする座布団。
【請求項２】
さらに台座部を備える請求項１に記載の座布団
【請求項３】
さらに、沈降・復元機能を有する緩衝部を備える請求項１及び請求項２の座布団
【発明の詳細な説明】
【技術分野】  本発明は、主として痔の患者に好適な座布団に関するものである。
【背景技術】従来の痔の患者用の座布団は、着座部と着座部よりも窪んだ窪み部をつくり、着座時窪み部分が肛門を圧迫することを避ける形式をとるものがほとんどである。
【先行技術文献】
【０００２】
【特許文献】
【０００３】
【特許文献１】
【特許文献２】
【非特許文献】
【０００４】
【非特許文献１】
【非特許文献２】
【発明の概要】
【発明が解決しようとする課題】従来の痔の患者用座布団は、着座部と着座部よりも窪んだ窪み部をつくることにより、着座時の肛門の接触による痛みを避ける目的で作られている。
しかし、これは単なる肛門部の痛みを避ける目的の消極的な方法である。
痔は疼痛と、いわゆる肛門が抜け落ちるという独特の不安感と焦燥感を伴う。また、肛門部を冷やすと痔の症状を悪化させることになる。本発明は、これらの問題を解決することを目的とする。
【課題を解決するための手段】上記の課題を解決するための手段として、凸型の痔の患者用座布団を考案した。この座布団は着座部と着座部よりも高く盛り上がった盛り上がり部を備えるものである。
これにより、使用者が肛門部を盛り上がり部に合わせて着座すると、着座部が臀部を支持し、盛り上がり部が肛門部全体を上部に押上げて肛門の安定を図ることができる。
【発明の効果】本発明で、使用者が肛門部を盛り上がり部に合わせて着座すると、着座部が臀部を支持し、盛り上がり部が肛門部全体を上部に押上げて肛門部の安定を図ることができる。
これにより、痔患者特有のいわゆる肛門が抜け落ちるという不安感・焦燥感を解消することができる。
また、この盛り上がり部が体温によって温められる自然な保温効果により血行が良くなり痔の疼痛が緩和される。
また、本発明では座る場合よい姿勢を長時間保つことができる。デスクワークのため長時間椅子に座り続ける場合や長時間の自動車運転業務に従事する場合等に非常に効果がある。
【図面の簡単な説明】
【図１】断面図−１
【図２】断面図−２
【図３】平面図
【図４】断面図−３
【図５】断面図−４
【図６】断面図−５
【発明を実施するための形態】
本発明は、以上の課題を解決するための手段として、凸型の痔の患者用座布団を考案した。この座布団は着座部と着座部よりも高く盛り上がった盛り上がり部を備えるものである。
▲１▼  具体的には、盛り上がり部２を備える着座部１から成る座布団を作成する。これにより、使用者が肛門部を盛り上がり部２に合わせて着座すると、着座部１が臀部を支持し、盛り上がり部２が肛門部全体を上部に押上げて肛門の安定を図ることができる。図１、図２、図３
▲２▼  上記▲１▼とは別に、▲１▼の着座部の下部に、着座部を支持・固定する台座部３を有する座布団を作成する。図４
▲３▼  上記▲１▼及び▲２▼の座布団について沈降・復元機能を有する緩衝部４を有する座布団を作成する。図５、図６
【実施例】
【・・・・】
【産業上の利用可能性】
【・・・・】
【符号の説明】１着座部
２盛り上がり部
３台座部
４緩衝部
【受託番号】
【・・・・】
【図１】
2012217824.tif 000003
【図２】
2012217824.tif 000004
【図３】
2012217824.tif 000005
【図４】
2012217824.tif 000006
【図５】
2012217824.tif 000007
【図６】
2012217824.tif 000008
(57)【要約】      （修正有）【課題】ランニングやジョギングを安全にまた、意欲を増すためにコースにおける周回カウンターを提供する。【解決手段】コースの一周距離を入力する距離設定ボタン３−Ａ，３−Ｂと、周回数を入力するまたは計測データをリセットするカウント・リセットボタン２と、演算機能や時計機能を備えたデータ処理部と、データ処理部の開始・停止をさせるスタート・ストップボタン１と、周回数、走行距離、ラップタイム、走行時間、時計を表示する表示装置４と、表示装置に表示を選択するモード切換えボタン５を設け、片手で操作確認ができる形状とした。【選択図】図２
2012217821.tif 000002
【特許請求の範囲】
【請求項１】
ランニングやジョギングコースの一周距離を入力する距離設定ボタンと、周回数を入力するまたは計測データをリセットするカウント・リセットボタンと、演算機能や時計機能を備えたデータ処理部と、データ処理部の開始・停止をさせるスタート・ストップボタンと、周回数、走行距離、ラップタイム、走行時間、時計を表示する表示装置と、表示装置に表示を選択するモード切換えボタンを設け、片手で操作確認ができる形状を特徴としたランニングコースにおける周回カウンター。
【発明の詳細な説明】
【技術分野】
【０００１】  本発明は、ランニングやジョギングコースの周回数を記録表示するカウンターに関するものである。
【背景技術】
【０００２】  ランニングやジョギングでスポーツセンター等のランニングコースを利用する場合、目標距離を設定し周回する事がある。その場合、周回数を頭の中で記憶しながら走ったり、指を折り数えたりしていた。
【発明の概要】
【発明が解決しようとする課題】
【０００３】  しかしながら、この方法だと記憶が曖昧になり途中で忘れてしまう事がありランニングやジョギングの意欲が半減した。また、思い出そうとすると集中が切れスピードダウンし、後ろの人に迷惑を掛けたり、コースを外れそうになったりして危険な場合もあった。
本発明は以上のような欠点を解決するためになされたものである。
【課題を解決するための手段】
【０００４】  ランニングやジョギングコースの一周距離を入力する距離設定ボタンと、周回数を入力するまたは計測データをリセットするカウント・リセットボタンと、カウント・リセットボタンの押下により周回数、走行距離を記録演算する演算機能と、ラップタイム、走行時間を計測記録する時計機能を備えたデータ処理部と、データ処理部の開始・停止をさせるスタート・ストップボタンと、周回数、走行距離、ラップタイム、走行時間、時計を表示する表示装置と、表示装置に表示を選択するモード切換えボタンを設け、片手で操作確認できる形状とした事を特徴とする。
【発明の効果】
【０００５】  カウント・リセットボタンを押すことにより周回数が表示されるので、頭の中で記憶したり、指を折り数えたりすることから開放され、操作や確認も片手で出来るのでランニングフォームを崩すことなくジョギングやランニングを安全に集中し行える。
さらに、ラップタイムや走行時間、走行距離を表示する事により目標の設定確認が出来るのでランニングやジョギングの意欲を増すことができる。
【図面の簡単な説明】
【０００６】
【図１】本発明のブロック図
【図２】本発明の一実施例を示す装着斜視図
【発明を実施するための形態】
【０００７】  以下、本発明の実施形態を説明する。
ランニングやジョギングのスタート前に、予め距離設定ボタン（３−Ａ）と（３−Ｂ）によりランニングやジョギングコースの一周の距離を入力する。ここに入力の一例を記すと、距離設定ボタン（３−Ａ）と（３−Ｂ）を同時に押し、入力モードに切替え、距離設定ボタン（３−Ｂ）を押し、入力したい桁数に合せ走行設定ボタン（３−Ａ）により数字をカウントアップさせ設定する。設定後はスタート・ストップボタン（１）を押しランニングやジョギングコースの一周の距離を確定する。次にランニングやジョギングコース上にスタート位置を決めスタート・ストップボタン（１）を押しランニングコースにおける周回カウンターの記録を開始させランニングやジョギングを開始する。スタート位置に来たらカウント・リセットボタン（２）を押し表示装置（４）の上部にカウントアップされた周回数が表示され、下段にはラップタイムが表示される。下段表示はラップタイムを２秒程度表示した後、走行距離を２秒程度表示し、その後は走行時間表示が表示されるように標準設定を設ける。表示方法はモード切替えボタン（５）で設定できるようにすると使用目的にあった利用が可能となる。ランニングやジョギングを終了する時はスタート・ストップボタン（１）を押し、ランニングコースにおける周回カウンターを停止させる。
本発明のランニングコースにおける周回カウンターは、腕時計のように腕に装着する形状とするとカウント・リセットボタン（２）を押すのに両手作業になりランニングフォームが崩れリズムが狂うので、片手で操作確認が出来るように手または指に装着できる形状とする。
【０００８】  本発明のランニングコースにおける周回カウンターは運動中に使用するので、操作ボタンは少ない方がベストであり、スタート・ストップボタン（１）の機能をカウント・リセットボタン（２）を長押しまたは２回早押しなどで操作を割り当てることで、スタート・ストップボタン（１）を削除した形も考えられる。
【０００９】  本実施形態の応用として歩数計機能やパソコンにＵＳＢケーブルで接続し記録データを管理できる機能を備えることで、ランニングやジョギングの継続意欲を増す事が期待できる。
【符号の説明】
【００１０】  １・・・・スタート・ストップボタン
２・・・・カウント・リセットボタン
３−Ａ・・設定ボタン
３−Ｂ・・設定ボタン
４・・・・表示装置
５・・・・モード切替えボタン
【図１】
2012217821.tif 000003
【図２】
2012217821.tif 000004
(57)【要約】【課題】中空が正六角形以外の形状だと、中空によってできた底の面積が均一にならない為、底の強度にバラツキが生じてしまう。本発明は、底の面積が均一になるようにハニカム構造のサンダルを提供する。【解決手段】サンダルの底が正六角形のハニカム構造で配置された多数の正六角柱の中空をもつことを特徴とするサンダル。【選択図】図１
2012217827.tif 000002
【特許請求の範囲】
【請求項１】
サンダルの底が正六角形のハニカム構造で配置された多数の正六角柱の中空をもつことを特徴とするサンダル。
【発明の詳細な説明】
【技術分野】
【０００１】  本発明は、サンダルに関するものであり、正六角形のハニカム構造の穴をサンダルの底一面に多数開けることで、通水性、速乾性、靴底と接する床や足との接地面の均等化、強度の均等化及びサンダル素材の歩留まり向上をはかったものである。
【背景技術】
【０００２】  従来、ベランダや浴室で使用するサンダルには、底を多数の円柱で中空にして通水性と速乾性を良くしたものがあった。
【先行技術文献】
【０００３】
【特許文献１】特許公開２００８−３０２１８６
【発明の概要】
【発明が解決しようとする課題】
【０００４】  しかし中空が正六角形以外の形状だと、中空によってできた底の面積が均一にならない為、底の強度にバラツキが生じてしまう。本発明は以上の問題点を解決するものである。
【課題を解決するための手段】
【０００５】  以上の問題点を解決するために、本発明は、サンダルの底に正六角形のハニカム構造に配置された多数の正六角柱の中空をもたせるものである。
【発明の効果】
【０００６】  本発明のサンダルは、中空でできた底の面積や強度が均一になり、材料の歩留まりも最適化できる。構造も簡単になることで製造コストを小さくできる。また、接地面の均等化により履き心地も改善される。
【図面の簡単な説明】
【０００７】
【図１】本発明の平面図
【図２】本発明の実施例（大きさの異なる正六角形を組み合わせて配置する時）を示す説明図
【発明を実施するための形態】
【０００８】  以下、本発明の実施の形態を説明する。
（イ）  サンダルの底（１）に正六角形のハニカム構造で配置された多数の正六角柱の          中空（２）を設ける。
本発明は以上のような構造である。
本発明は、ベランダや浴室などで濡れたサンダルを早く乾かしたい時で、床面が安全な場所にて使用する。
【符号の説明】
【０００９】１  サンダルの底
２  正六角形のハニカム構造に配置された多数の正六角柱の中空
３  ハニカム構造の一部に配置された面積の小さな正六角柱の中空
【図１】
2012217827.tif 000003
【図２】
2012217827.tif 000004
(57)【要約】【課題】  ゴルフのスイング中に、アドレス時の両腕と胸で作った三角形が崩れて、スイング軌道が不安定になりミスショットが出やすかった。  本発明は、ゴルフスイング練習具を提供する。【解決手段】腕用帯の両端を両端固定具によって輪状になった腕用帯と、首用帯の両端を両端固定具によって輪状になった首用帯を、腕用帯の中央部固定具により連結されていることを特徴とするゴルフスイング練習具。【選択図】図１
2012217823.tif 000002
【特許請求の範囲】
【請求項１】
腕用帯の両端を両端固定具によって輪状になった腕用帯と、首用帯の両端を両端固定具によって輪状になった首用帯を、腕用帯の中央部固定具により連結されているゴルフスイング練習具。
【発明の詳細な説明】
【技術分野】
【０００１】  本発明は、ゴルフのスイング練習時に装着するゴルフスイング練習具に関するものである。
【背景技術】
【０００２】  ゴルフのスイング中に、アドレス時の両腕と胸で作った三角形が崩れて、スイング軌道が不安定になりミスショットが出やすかった。
なお、両腕に取付けて使用する器具が知られている（特許文献１参照）。
【先行技術文献】
【０００３】
【特許文献１】特開２００６−２６２９９２号公報
【発明の概要】
【発明が解決しようとする課題】
【０００４】  従来の問題点は、ゴルフのスイング練習時に装着しにくく、またスイング練習中にずれて体と腕が一体になりにくく、さらにゴルフ練習場だとみばえが悪いので使用しにくかった。
本発明は以上の問題点を解決するためになされたものである。
【課題を解決するための手段】
【０００５】  腕用帯の両端を両端固定具によって輪状になった腕用帯と、首用帯の両端を両端固定具によって輪状になった首用帯を、腕用帯の中央部固定具により連結されている。
以上の構成よりなるゴルフスイング練習具。
【発明の効果】
【０００６】  ゴルフ練習場で使用時に、構造が簡単なので装着しやすく、みばえも悪くない、首用帯によりずれにくく、体と腕が一体になり体の正面でクラブが振りやすくなる。
この結果、アドレス時の両腕と胸で作った三角形が崩れにくく、スイング軌道が安定してミスショットが出にくくなる。
【図面の簡単な説明】
【０００７】
【図１】本発明の斜視図
【図２】両端固定具の斜視図
【図３】中央部固定具の斜視図
【図４】中央部固定具の断面図
【図５】両端固定具の断面図
【図６】装着状況図
【発明を実施するための形態】
【０００８】  以下、本発明の実施の形態を説明する。
（イ）腕用帯（１）の両端固定具（４）によって輪状となった腕用帯（１）。
（ロ）首用帯（２）の両端固定具（４）によって輪状となった首用帯（２）。
（ハ）腕用帯（１）と首用帯（２）が中央部固定具（３）により連結されている。
（ニ）腕用帯（１）と首用帯（２）は、両端固定具（４）に長さ調整機能があり帯の長さを調整できる。
本発明は以上のような構造である。
【０００９】  本発明を使用するときは、アドレス時の両腕と胸で作った三角形に合わせて、腕用帯（１）を腕に通して、首用帯（２）を首から下げて、スイング練習することでアドレス時の両腕と胸で作った三角形が崩れにくくなり、体と腕が一体になり体の正面でクラブが振りやすくなる。この結果スイング軌道が安定してミスショットが出にくくなる。
【符号の説明】
【００１０】１  腕用帯
２  首用帯
３  中央部固定具
４  両端固定具
【図１】
2012217823.tif 000003
【図２】
2012217823.tif 000004
【図３】
2012217823.tif 000005
【図４】
2012217823.tif 000006
【図５】
2012217823.tif 000007
【図６】
2012217823.tif 000008
(57)【要約】【課題】箱などの容器からペーパーフィルターを１枚だけ取り出すのは面倒である。本発明は、ペーパーフィルターを手で触れることなく１枚だけ取り出すペーパーフィルターの取り出し具を提供する。【解決手段】針のような突起物が鋭角に数個固定された薄板でペーパーフィルターを引っかけて取り出すことを特徴とするペーパーフィルターの取り出し具。【選択図】図４
2012217828.tif 000002
【特許請求の範囲】
【請求項１】
針のような突起物が鋭角に数個固定された薄板でペーパーフィルターを引っかけて取り出すことを特徴とするペーパーフィルターの取り出し具
【発明の詳細な説明】
【技術分野】
【０００１】  本発明は、袋や箱詰めにされたコーヒーなどのペーパーフィルターを効率よく一枚だけ取り出すペーパーフィルターの取り出し具に関するものである。
【背景技術】
【０００２】  従来、箱などの容器に単に取り出し口を設けたものやペーパーフィルター間にミシン目を入れて使用時に分離するなどのペーパーフィルターの取り出し方法があった。
【非特許文献】
【０００３】
【非特許文献１】登録実用新案第３０９８８３９号
【発明の概要】
【発明が解決しようとする課題】
【０００４】  しかし、どの方法もペーパーフィルターを一枚だけ取り出すには手間がかかってしまう。本発明は以上の問題点を解決するものである。
【課題を解決するための手段】
【０００５】  以上の問題点を解決するために、本発明は、薄板に対して鋭角に数個固定されたホッチキスの針のような突起物でペーパーフィルターを引っかけて取り出すものである。
【発明の効果】
【０００６】  本発明のフィルタの取り出し具は、ペーパーフィルターを手で触れることなく取り出すことができる。
【図面の簡単な説明】
【０００７】
【図１】本発明の斜視図
【図２】本発明を構成する部品の斜視図
【図３】本発明の実施例（箱に入ったペーパーフィルターに取り出し具を差し込んだ状態）を示す説明図
【図４】本発明の別の実施例（箱に入ったペーパーフィルターを釣り上げている状態）を示す説明図
【発明を実施するための形態】
【０００８】  以下、本発明の実施の形態を説明する。
（イ）  ホッチキスの針のような突起物（２）を薄板（１）に対して鋭角に数個貫通さ          せ、台座（３）で固定する。
本発明は以上のような構造である。
本発明を使用するときは、薄板（１）のホッチキスの針のような突起物（２）がある面を取り出したいペーパーフィルター（３）側に向け、突起物（２）でペーパーフィルター（３）を引っかけて取り出す。
【符号の説明】
【０００９】１  薄板
２  ホッチキスの針のような突起物
３  突起物を固定する台座
４  ペーパーフィルター
５  ペーパーフィルターの入った容器
【図１】
2012217828.tif 000003
【図２】
2012217828.tif 000004
【図３】
2012217828.tif 000005
【図４】
2012217828.tif 000006
(57)【要約】      （修正有）【課題】少しの透き間で利用できる簡易トイレを提供する。【解決手段】パイプ型折り畳み式のイスの座面中央に開けた穴の下部に、底部にペットシーツを配置したビニール袋を収容した筒型容器を置き、使用後は汚物の上部をペットシーツで覆うとともに筒型容器にフタをする。【選択図】図１
2012217840.tif 000002
【特許請求の範囲】
【請求項１】
簡易トイレが有れば車のドアを開けてとか少しの透き間でトイレをする事が出来る便利なラク楽トイレ
【発明の詳細な説明】
【発明の詳細な説明】
【技術分野】
【０００１】本発明は今東北地震でトイレ待ちをしている人がいる中自分用のトイレが有ればいつでも過ぐ使用出来る
【背景技術】
【０００２】従来は外でトイレをする人などいなかった
【発明が解決しようとする課題】
【０００３】地震が無ければ考えなかった問題が最近のテレビを見ていて被災地の事を考え被災者の事を思った時頭に浮かんだ並ぶ事なくトイレが出来たら一つの悩みが解決すると思います
【課題を解決するための手段】
【０００４】パイプ型折り畳み式のイスを使う事で使用しない時は畳んで置き又座りたい時は普通に使用する
ラク楽トイレとして使用する時には図１折り畳み式パイプイスに汚物を受ける為の図２をセットするだけで利用出来る
【発明を実施するための形態】
【０００５】以下本発明の実施の形態について説明する
イ  図１パイプ型折り畳みイス座面の中央に直径１０ｃｍ穴開ける
ロ  図２の汚物の付け筒では受け筒の中に２のビニール袋を引き筒の直下に３ペットシーツを引いて置くそして４汚物をすました後３ペットシーツを引いて置く
３  ４回使用した後３ペットシーツを引いて置き５の重石をし１のフタをしておく又時々は芳香剤を使用スプレをしておく
【図面の簡単な説明】
【図１】  本発明の右側面図である
【図２】  本発明の使用状態を示す断面図である
【符号の説明】  １、イス本体
２  プラスチック筒型容器本体
３  汚物入れ容器本体
【図１】
2012217840.tif 000003
【図２】
2012217840.tif 000004
(57)【要約】【課題】  従来はペーパー軸に入れるだけでペーパーとペーパー軸が連動できない。連動を必要とするときは更にペーパーの製品の穴径や長さのばらつきが難しくする。【解決手段】図２のように連結板を挿し込むだけで靭性があるため対応できる。【選択図】図２
2012217838.tif 000002
【特許請求の範囲】
【請求項１】
トイレットペーパーとペーパー軸の連動を靭性のある連動板を用いて連動させる方法
【発明の詳細な説明】
【技術分野】
【０００１】  トイレットペーパーホルダーの無接触化に関するものである。
【背景技術】
【０００２】  従来よりホルダーには衛生的且つ心理的に触りたくないものでありながら改善しにくいものの一つにペーパーとペーパー軸との連動に費用と手間がかかる問題があった。【０００３】  上記を解決するために図  のように連動板を用いることによりペーパーの交換が容易となり従来と同じように出来る。
【発明の開示】
【発明が解決しようとする課題】
【０００４】  問題を解決するための課題は次のとおりである。
１  ペーパー軸の構成が複雑で費用がかかる。
２  ペーパーの取替の作業性が悪い。
３  ペーパーの寸法が商品により穴径と長さがバラついている。
【課題を解決するための手段】
【０００５】  図１に於いて靭性のある薄板を用いれば穴径のばらつきも板の伸縮により吸収されペーパーとペーパー軸は連動される。
【発明の効果】
【０００６】前項のように穴径のや長さのばらつきにも対応できる連動板となる。
【発明を実施するための最良の形態】
【０００７】前述の如くペーパー軸を設け図１のように連動板をつければよい。
【図面の簡単な説明】
【０００８】
【図１】連動板
【図２】ペーパー穴径に連動板を挿し込んだ状態図
【符号の説明】
【０００９】１  ペーパー軸
２  連動板
３  止ネジ
【図１】
2012217838.tif 000003
【図２】
2012217838.tif 000004
(57)【要約】【課題】窓サッシを水洗いする時に、サッシ下部レールの水切りから水が垂れないように、サッシ下部レールの水切りに、掃除機の吸い込み口を固定する事が出来る掃除機用ノズルを提供する。【解決手段】  適当な径のホースを繋ぐ事が出来るように加工したノズル（１）に適当な径のホース（２）を繋げ、そのホースの先端にサッシ下部レールを挟むための切れ込み（３）を入れる。プレート（４）に、そのホースの外径に合わせた穴（５）を開け、窓サッシ横部のレールを挟めるように、切れ込み（６）を入れる。適当な径のホースを、そのプレートのホースの外径に合わせて開けた穴に通し、ホースにプレートを設けた掃除機用ノズルを特徴とする。【選択図】図１
2012217831.tif 000002
【特許請求の範囲】
【請求項１】
適当な径のホースを繋ぐ事が出来るように加工したノズル（１）に適当な径のホース（２）を繋げ、そのホースの先端にサッシ下部レールを挟むための切れ込み（３）を入れる。
プレート（４）に、そのホースの外径に合わせた穴（５）を開け、窓サッシ横部のレールを挟めるように、切れ込み（６）を入れる。
適当な径のホースを、そのプレートのホースの外径に合わせて開けた穴に通し、ホースにプレートを設けた窓サッシ水洗い時、水垂れ防止掃除機用ノズル。
【発明の詳細な説明】
【技術分野】
【０００１】この発明は、窓サッシ下部レールの水切りに掃除機の吸い込み口を固定するために適当な経のホースに固定用プレートを設けた、掃除機用ノズルに関するものである。
【背景技術】
【０００２】従来、窓サッシ下部レールの水切りに固定できる掃除機用ノズルは無かった。
【先行技術文献】
【０００３】
【発明の概要】
【発明が解決しようとする課題】
【０００４】これは、次のような欠点があった。
従来、窓サッシを水洗いすると、下部レールの水切りから水が垂れてしまう。
上階でこの作業を行うと下階の窓に水が垂れたり、下階に干してある洗濯物にかかったりして、問題になることが多かった。
本発明は、以上のような欠点をなくすためになされたものである。
【課題を解決するための手段】
【０００５】適当な径のホースを繋ぐ事が出来るように加工したノズル（１）に適当な径のホース（２）を繋げ、そのホースの先端にサッシ下部レールを挟むための切れ込み（３）を入れる。
プレート（４）に、そのホースの外径に合わせた穴（５）を開け、窓サッシ横部のレールを挟めるように、切れ込み（６）を入れる。
適当な径のホースを、そのプレートのホースの外径に合わせて開けた穴に通し、ホースにプレートを設ける。
本発明は、以上の構成よりなる窓サッシ水洗い時、水垂れ防止掃除機用ノズルである。
【発明の効果】
【０００６】窓サッシ下部水切りに、掃除機の吸い込み口が固定できるようになり、水切りから水が垂れ落ちる前に水を吸い込めるようになり、下階に水が垂れることが無くなった。
【図面の簡単な説明】
【０００７】
【図１】本発明の斜視図である。
【図２】本発明のプレートの平面図である。
【発明を実施するための形態】
【０００８】以下、本発明を実施するための形態について説明する。
ノズルを掃除機のホースの太さから、適当な径のホースの太さまで円錐状に加工（１）し、適当な径のホース（２）を、加工したノズルの先端に、数十センチ外側に残るように差込み取り付ける。
適当な径のホースの先端に切込み（３）を入れる。
プレート（４）に、適当な径のホースの外径に合わせた穴（５）を開け、窓サッシ横部のレールを挟むための切れ込み（６）を、入れる。
ホースを、プレートのホースの外形に合わせて開けた穴に通し、ホースにプレートを設ける。
これを使用する時は、サッシの下部のレールを、適当な径のホースの先端に入れた切れ込みで挟み、サッシの横部のレールを、プレートに入れた切れ込みで挟んで窓サッシに固定して使用する。
【符号の説明】
【０００９】１  適当な径のホースを繋ぐ事が出来るように加工したノズル
２  適当な径のホース
３  適当な径のホースの先端に入れた切れ込み
４  プレート
５  プレートに開けた、適当な径のホースの外径に合わせた穴
６  プレートに入れた切れ込み
【図１】
2012217831.tif 000003
【図２】
2012217831.tif 000004
(57)【要約】【課題】調理中にまな板の横に包丁の持ち手の部分を手前にして仮置きをすると、乳幼児の手が容易に届く。乳幼児に危険であることを学習させることは不可能であった。本発明は乳幼児に安全なだけでなく、老若男女にも安全である為のまな板を提供する。【解決手段】まな板をセットした状態でまな板の最奥部に包丁の刃のみを、はめ込むために溝を設けたまな板。【選択図】図１
2012217835.tif 000002
【特許請求の範囲】
【請求項１】
対向する２辺が直線状となるまな板の１辺の周縁部に両側部まで達する溝を設け、その底部に複数の裏面まで貫通した穴を設け、まな板の裏面にも前記溝と対称の位置に溝と複数の裏面まで貫通した穴を設けたことを特徴とする安全まな板。
【請求項２】
溝の底面は左右両側部まで傾斜をさせていることを特徴とした請求項１記載の安全まな板。
【発明の詳細な説明】
【技術分野】
【０００１】本発明は乳幼児に対してやさしいまな板に関するものである。
【背景技術】
【０００２】従来主婦等がまな板の上で食材を調理中、包丁を手放した時に主に右（右利きの場合）に置く場合が多く、そのとき持ち手はまな板、もしくは調理台の手前端に位置する。
包丁を仮置きする器具は知られている（特許文献１参照）。
【先行技術文献】
【０００３】
【特許文献１】特開２００３−３８３６７号公報
【発明の概要】
【発明が解決しようとする課題】
【０００４】調理中に包丁の持ち手の部分を手前にして仮置きすると、乳幼児の手が容易に届く。
乳幼児に危険である事を学ばせるのは不可能だった。
本発明は、以上の問題点を解決するためになされたものである。
【課題を解決するための手段】
【０００５】対向する２辺が直線状となるまな板の表面に、所定の深さの溝を左右両側部に達するように設け、その溝の底部に複数の穴を設け、裏面にも表面と対称となる位置に溝と穴を施したことを特徴とする安全まな板。
【発明の効果】
【０００６】従来、乳幼児に対して危険とされていた包丁を安全に置くことができるように本発明は乳幼児に安全なだけでなく、老若男女にも安全であり、又、包丁を仮置きするための器具がないから邪魔にならない。
一時的に手放した包丁を真横に置くことがなく、持ち手の部分（６）に触れることがないから全ての人に安全である。
【図面の簡単な説明】
【０００７】
【図１】本発明の斜視図
【図２】本発明の使用状態を示す斜視図
【図３】その他実施形態の斜視図
【図４】まな板の断面図
【発明を実施する為の形態】
【０００８】以下本発明の実施の形態について説明する。
（イ）長方形状、方形状、または対向する２辺が直線状である。まな板の直線状となる１辺の周縁部に沿って両側部まで達する溝を設ける。
（ロ）溝の底部に水捌け用にまな板裏面まで貫通した複数の穴を設ける。
（ハ）まな板の裏面に上述した溝と対称の位置の１辺の周縁部に沿って両側部まで達する溝を設け、前記溝にまな板の底部まで貫通した穴を設ける。
（二）穴（３）を設け、また溝の底面は、左右両側部まで傾斜させている為、水捌けが良い。
本発明は以上のような構成である。
【０００９】本発明を使用するときは、一時的に手放した包丁（４）の刃の部分（５）をまな板（１）の周縁部に設けた溝（２）にはめ込む。
一時的に手放した包丁を真横に置くことがなく、持ち手の部分（６）に触れることがないので全ての人に安全である。
【符号の説明】
【００１０】（１）まな板  （２）溝  （３）穴  （４）包丁  （５）包丁の刃の部分  （６）持ち手
【図１】
2012217835.tif 000003
【図２】
2012217835.tif 000004
【図３】
2012217835.tif 000005
【図４】
2012217835.tif 000006